(57)【要約】【課題】テレビジョン電話モード及び音声電話モードの選択が簡単に、かつ迅速に行えるようにする。【解決手段】電話モードとしてテレビジョン電話モードと音声電話モードを備えた携帯電話端末において、ユーザにより発信キー１７３が押下された場合に、カメラ状態検出部１８により現在カメラ１３が撮像可能な状態であるか否かを判定する。そしてこの判定の結果、カメラ１３が撮像可能である場合にはテレビジョン電話モードで通信を行い、一方カメラ１３が撮像可能でない場合には音声電話モードで通信を行うように電話モード選択制御機能１４ａにより制御するようにしている。【選択図】　　図２
2004120245.tif 000002
【特許請求の範囲】
【請求項１】
マイクロホンとスピーカを使用して電話通信を行う音声電話モードと、マイクロホンとスピーカ及びカメラと表示器を使用して電話通信を行うテレビジョン電話モードとを備えた携帯電話端末において、
前記カメラが撮像可能な状態にあるか否かを判定する判定手段と、
この判定手段の判定結果に基づき、前記カメラが撮像可能な状態にある場合には前記テレビジョン電話モードを選択し、一方前記カメラが撮像可能な状態にない場合には前記音声電話モードを選択する電話モード制御手段とを具備したことを特徴とする携帯電話端末。
【請求項２】
携帯電話端末の筐体に対し前記カメラがその撮像方向を可変可能な状態に取着されている場合に、
前記判定手段は、前記カメラの撮像方向が予め設定した範囲内であるか否かを検出し、前記カメラの撮像方向が予め設定した範囲内である場合には当該カメラは撮像可能な状態にあると判定し、前記カメラの撮像方向が予め設定した範囲以外である場合には当該カメラは撮像可能な状態にないと判定することを特徴とする請求項１記載の携帯電話端末。
【請求項３】
前記判定手段は、前記カメラが受光する光量を検出し、この検出された光量が予め設定されたしきい値以上である場合には前記カメラは撮像可能な状態にあると判定し、前記検出された光量が予め設定されたしきい値未満である場合には前記カメラは撮像可能な状態にないと判定することを特徴とする請求項１記載の携帯電話端末。
【請求項４】
前記電話モード制御手段は、テレビジョン電話モードによる電話通信中に、前記判定手段の判定結果をもとに前記カメラが撮像可能な状態を維持しているか否かを監視し、前記カメラが撮像不可能な状態になった場合には、その期間中に前記カメラの撮像画像に代えて予め用意してある代替画像を送信することを特徴とする請求項１乃至３記載の携帯電話端末。
【発明の詳細な説明】
【０００１】
【発明の属する技術分野】
この発明は、電話モードとして、音声電話モードとテレビジョン電話モードを備えた携帯電話端末に関する。
【０００２】
【従来の技術】
近年、移動通信システムの通信速度の高速化に伴い、カメラを使用してテレビジョン電話通信を行うことが可能な携帯電話端末が開発されている（例えば、非特許文献１参照。）。
【０００３】
この種の携帯電話端末では、音声電話専用の端末と異なり、電話通信を行う際に、音声電話モードを使用するか或いはテレビジョン電話モードを使用するかを指定する必要がある。
【０００４】
【非特許文献１】
ドコモ携帯電話総合カタログ、２００２年５月、ｐ．９１、機種Ｐ２１０１Ｖ
【０００５】
【発明が解決しようとする課題】
ところが、先に例示したこの種の従来の携帯電話端末では、音声電話モード指定用の発信キーと、テレビジョン電話モード指定用の発信キーとを別個に設け、これらの発信キーのうちユーザが操作したキーに対応する電話モードにより電話通信動作を開始するように構成されている。このため、発信キーを２個設けなければならず、その分端末筐体の大型化を招くという問題点を有する。また、端末筐体の大きさを変えずに２個の発信キーを設けようとすると、キーを小型化しなければならなくなり、またキーの配置間隔も狭くなるため、操作性の劣化を招くという別の問題を生じる。
【０００６】
この発明は上記事情に着目してなされたもので、その目的とするところは、複数の発信キーを設けることなく音声電話モードとテレビジョン電話モードを選択できるようにし、これにより小型で操作性に優れた携帯電話端末を提供することにある。
【０００７】
【課題を解決するための手段】
上記目的を達成するためにこの発明は、マイクロホンとスピーカを使用して電話通信を行う音声電話モードと、マイクロホンとスピーカ及びカメラと表示器を使用して電話通信を行うテレビジョン電話モードとを備えた携帯電話端末にあって、上記カメラが撮像可能な状態にあるか否かを判定する手段と、電話モード制御手段とを備える。そして、この電話モード制御手段により、上記判定手段の判定結果をもとに、上記カメラが撮像可能な状態にある場合には上記テレビジョン電話モードを選択し、一方上記カメラが撮像可能な状態にない場合には上記音声電話モードを選択するようにしたものである。
【０００８】
したがってこの発明によれば、カメラが撮像可能な状態にあるかどうかによって音声電話モードとテレビジョン電話モードが自動的に選択される。このため、これら２つの電話モードを指定するために２個の独立するキーを設ける必要がなくなり、これにより端末筐体の大型化、或いはキーの小型化や配置間隔の狭小化に伴う操作性の劣化を防止することが可能となる。
【０００９】
また、電話モードの指定操作が一切不要になり、発信する際のユーザの操作性が向上される。ちなみに、２個の独立するキーを設ける代わりに、例えば電話モードの選択メニュー画面を表示器に表示させ、ユーザがこのメニュー画面により所望の電話モードを指定するようにした構成も考えられる。しかし、このように構成された端末では、ユーザは発信操作とは別に電話モードの指定操作を行わなければならない。このため、ユーザの操作数が増えると共に、電話モードを誤って指定するおそれがあり、好ましい構成とは云えない。
【００１０】
上記カメラが撮像可能な状態にあるか否かを判定する手段としては、次の二つの構成が考えられる。
第１の構成は、携帯電話端末の筐体に対し前記カメラがその撮像方向を可変可能な状態に取着されている場合に、カメラの撮像方向が予め設定した範囲内であるか否かを検出し、カメラの撮像方向が予め設定した範囲内である場合には当該カメラは撮像可能な状態にあると判定し、一方カメラの撮像方向が予め設定した範囲以外である場合には当該カメラは撮像可能な状態にないと判定するものである。
【００１１】
第２の構成は、カメラが受光する光量を検出し、この検出された光量が予め設定されたしきい値以上である場合にはカメラは撮像可能な状態にあると判定し、一方上記検出された光量が予め設定されたしきい値未満である場合にはカメラは撮像可能な状態にないと判定するものである。
【００１２】
第１の構成によれば、カメラの向きを撮像対象、例えば自身の顔または周囲に向けて設定することで、自動的にテレビジョン電話モードが選択されることになる。また、カメラを撮像不可能な向き、例えば端末筐体側に伏せた状態に設定しておけば、自動的に音声電話モードが選択されることになる。
【００１３】
第２の構成によれば、カメラの受光量をもとに電話モードが選択されるので、例えばカメラを撮像対象に向けてはいても、周囲が暗く撮像に必要な照度が得られないような場合には、テレビジョン電話モードは選択されずに音声電話モードが選択されることになる。すなわち、その時々の撮像条件に応じて自動的に最適な電話モードが選択されることになる。
【００１４】
また、テレビジョン電話モードによる電話通信中に、カメラが撮像不可能な状態になった場合には、この撮像不可能な期間にカメラの撮像画像に代えて予め用意してある代替画像を送信する。
このように構成すると、不安定な撮像画像が送信され続ける不具合を無くしてテレビジョン電話通信の品質を高く維持することができる。
【００１５】
【発明の実施の形態】
以下、図面を参照してこの発明に係わる携帯電話端末の実施形態を説明する。
【００１６】
図１は、この発明の一実施形態に係わる携帯電話端末の外観を示す正面図である。
この携帯電話端末は、いわゆるストレートタイプの端末であり、その筐体前面パネルには受話器としてのスピーカ１０、液晶表示器（ＬＣＤ）を使用した表示部１５、キー入力部１７、及び送話器としてのマイクロホン１１が配設されている。このうちキー入力部１７は、ダイヤルキー１７１と、カーソルキー１７２と、１個の発信キー１７３と、切断キー１７４とから構成される。カーソルキー１７２は、一般にマルチファンクションキーと呼ばれるもので、４方向に入力操作が可能な４個のカーソル接点と、決定操作を行うための中央接点とから構成される。
【００１７】
また携帯電話端末の筐体上部には、伸縮可能なアンテナ１及びカメラ１３が設けられている。カメラ１３は、ＣＭＯＳ又はＣＣＤ等の固体撮像素子を採用したもので、静止画像又は動画像を撮像可能である。またこのカメラ１３は、携帯電話端末の筐体に対し回動軸により回動可能に取着されており、これにより撮像方向を任意に可変することができるようになっている。
【００１８】
図２は、上記携帯電話端末の回路構成を示すブロック図である。ここでは、無線アクセス方式としてＣＤＭＡ方式を採用した端末を例示している。
【００１９】
図示しない基地局から送信された無線信号は、アンテナ１で受信されたのちアンテナ共用器（ＤＵＰ）２を介して受信回路（ＲＸ）３に入力される。受信回路３は、上記受信された無線信号を周波数シンセサイザ（ＳＹＮ）４から出力された受信局部発振信号とミキシングして中間周波信号に周波数変換する。そして、この中間周波信号を直交復調して受信ベースバンド信号を出力する。なお、上記周波数シンセサイザ４から発生される受信局部発振信号の周波数は、制御部１４からの制御信号ＳＹＣによって指示される。
【００２０】
上記受信ベースバンド信号はＣＤＭＡ信号処理部６に入力される。ＣＤＭＡ信号処理部６はＲＡＫＥ受信機を備える。ＲＡＫＥ受信機では、上記受信ベースバンド信号に含まれるマルチパスの受信信号がそれぞれ拡散符号により逆拡散処理される。そして、この逆拡散処理されたマルチパスの受信信号は位相を合わされたのち相互に合成される。この結果、所定の伝送フォーマットの受信データが得られる。そして、この受信データは多重分離処理部７に入力される。
【００２１】
多重分離処理部７は、上記ＣＤＭＡ信号処理部６から出力された受信データをメディアごとに、例えば音声データ、ビデオデータ、及びテキストデータに分離する。そして、この分離された各メディアデータのうち、音声データは音声コーデック８に、またビデオデータはビデオコーデック１１に、さらに電子メール等のテキストデータは制御部１４にそれぞれ入力する。また、通信制御等に使用する制御データも、上記多重分離部７で分離されて制御部１４に入力される。
【００２２】
音声コーデック８は、多重分離処理部７より入力された音声データをディジタル音声信号に復号し、ＰＣＭコーデック９へ出力する。ＰＣＭコーデック９は、音声コーデック８から出力されたディジタル音声信号をＰＣＭ復号してアナログ音声信号を出力する。このアナログ音声信号は、図示しない受話増幅器にて増幅されたのちスピーカ１０から拡声出力される。
【００２３】
ビデオコーデック１２は、多重分離処理部７より入力されたビデオデータをディジタルビデオ信号に復号し、この復号処理されたディジタルビデオ信号を表示部１５に入力する。このディジタルビデオ信号は、表示部１５のＬＣＤ表示器に表示される。
【００２４】
制御部１４は、電子メール等のテキストデータを、記憶部１６の受信メール記憶エリアに保存すると共に、表示部１５のＬＣＤに表示する。なお、留守番モードが設定されている場合には、制御部１４は上記音声コーデック８及びビデオコーデック１２において復号処理する前の音声データ及びビデオデータを取り込んで、これらのデータを記憶部１６の留守番記録エリアに記憶させる。なお、記憶部１６は例えばＲＡＭ又はフラッシュメモリからなり、電話帳や通信履歴、通信相手の端末或いは情報サイトから受信した電子メールやウェブデータ等も保存する。
【００２５】
一方、マイクロホン１１に入力された話者の音声信号は、送話増幅器により適正レベルまで増幅されたのち、ＰＣＭコーデック９にてＰＣＭ符号化処理が施され、ディジタル音声信号となって音声コーデック８に入力される。また、カメラ１３により撮像されたディジタルビデオ信号は、ビデオコーデック１２に入力される。
【００２６】
音声コーデック８は、ＰＣＭコーデック８から出力されたディジタル音声信号より入力音声のエネルギ量を検出し、この検出結果に基づいて送信データレートを決定する。そして、上記ディジタル音声信号を上記送信データレートに応じたフォーマットの信号に符号化し、これにより音声データを生成する。この生成された音声データは、多重分離処理部７に入力される。
【００２７】
ビデオコーデック１２は、カメラ１３から出力されたディジタルビデオ信号を符号化してビデオデータを生成する。そして、この生成されたビデオデータは多重分離処理部７に入力される。なお、制御部１４において作成された送信メール等のテキストデータも、制御部１４から多重分離処理部７に入力される。
【００２８】
多重分離処理部７は、音声コーデック８より入力された音声データ及びビデオコーデック１２により入力されたビデオデータを所定の伝送フォーマットに従い多重化し、この多重化された送信データをＣＤＭＡ信号処理部６へ出力する。なお、制御部１４から送信メール等のテキストデータが出力された場合にも、このテキストデータを上記送信データに多重化する。
【００２９】
ＣＤＭＡ信号処理部６は、上記多重分離処理部７から出力された送信データに対し、送信チャネルに割り当てられた拡散符号を用いてスペクトラム拡散処理を施す。そして、その出力信号を送信回路（ＴＸ）５へ出力する。送信回路５は、上記スペクトラム拡散された信号を例えばＱＰＳＫ方式等のディジタル変調方式を使用して変調する。そして、このディジタル変調により生成された送信信号を、周波数シンセサイザ４から発生される局部発振信号と合成して無線信号に周波数変換する。そして、制御部１４により指示される送信電力レベルとなるように上記無線信号を高周波増幅する。この増幅された無線信号は、アンテナ共用器２を介してアンテナ１に供給され、このアンテナ１から接続中の基地局へ向けて送信される。
【００３０】
表示部１５のＬＣＤには、通話相手端末の電話番号や端末の動作状態、さらにはメール等の文字や文章が表示される。また、ＬＣＤには、相手端末から受信したディジタルビデオ信号に基づく映像も表示される。
なお、２０は電源回路であり、バッテリ１９の出力をもとに所定の動作電源電圧Ｖｃｃを生成して各回路部に供給する。
【００３１】
ところで、この実施形態の携帯電話端末は、電話モードとして、マイクロホン１１とスピーカ１０を使用して電話通信を行う音声電話モードと、マイクロホン１１とスピーカ１０及びカメラ１３と表示部１５を使用して電話通信を行うテレビジョン電話モードとを備えている。そして、これらの電話モードを制御するために、カメラ１３の周辺部にはカメラ状態検出部１８が、また制御部１４には電話モード選択制御機能１４ａがそれぞれ設けられている。
【００３２】
カメラ状態検出部１８は、カメラ１３の撮像方向をもとに当該カメラ１３が撮像可能な状態にあるか否かを検出するもので、次のように構成される。図３はその構成を示すもので、（ａ）は正面図、（ｂ）は（ａ）のＸ−Ｘ断面矢視図である。
【００３３】
すなわち、カメラ１３を保持する回動軸１３１の外周面には、アルミ箔などの導電部１８３が貼付又は形成されている。この導電部１８３は、図３（ｂ）に示すように回動軸１３１の周方向の一部を切欠して断面形状がＣ型に形成されている。また、回動軸１３１の上記導電部１８３と対向する位置には、第１及び第２の接点１８１，１８２が配置されている。このうち第１の接点１８１は電源Ｖｃｃに接続され、一方第２の接点１８２は抵抗１８５介して接地されている。これら第１及び第２の接点１８１，１８２は、上記導電部１８３に接触したとき当該導電部１８３を通じて導通する。そして、この導通の有無を表す電圧信号は信号レベル判定回路１８４に入力される。信号レベル判定回路１８４は、上記入力された電圧信号の信号レベルをしきい値と比較することで判定し、その判定結果を表す信号、つまり“Ｈ（Ｈｉｇｈ）”又は“Ｌ（Ｌｏｗ）”で表される判定信号ＤＳを制御部１４に供給する。
【００３４】
一方、制御部１４に設けられた電話モード選択制御機能１４ａは、ユーザが相手端末と通話を開始するためにキー入力部１７の発信キー１７３を押下した場合に、上記カメラ状態検出部１８から出力される判定信号ＤＳをもとに、カメラ１３が撮像可能な状態にあるか否かを判定する。そして、カメラ１３が撮像可能な状態にあると判定された場合には、テレビジョン電話モードを選択してテレビジョン電話通信のための制御を実行する。一方、上記カメラ１３が撮像不可能な状態にあると判定された場合には、音声電話モードを選択して音声電話通信のための制御を実行する。
【００３５】
次に、以上のように構成された携帯電話端末による電話モード選択制御動作を説明する。図４はその制御手順と制御内容を示すフローチャートである。
【００３６】
先ず、お互いの顔画像を見ながらテレビジョン電話通信を行う場合について説明する。この場合ユーザは、カメラ１３の撮像方向を図１に示すように自己の顔の方向に設定する。そうすると、カメラ状態検出部１８では、図３（ａ），（ｂ）に示すように、第１の接点１８１と第２の接点１８２との間が導電部１８３を通じて導通し、この結果信号レベル判定回路１８４から“Ｈ”レベルの判定信号ＤＳが出力される。
【００３７】
この状態でユーザが発信操作を行うと、制御部１４はステップ４ａで発信キー１７３の操作を検出し、ステップ４ｂにより上記信号レベル判定回路１８４から判定信号ＤＳを読み込む。そして、ステップ４ｃにおいて、上記読み込んだ判定信号ＤＳのレベルをもとにカメラ１３が撮像可能な状態になっているか否かを判定し、この判定結果に従い電話モードを選択する。例えば、いま上記判定信号ＤＳは“Ｈ”レベルになっている。このため、カメラ１３は撮像可能な状態になっていると判定してステップ４ｄに移行し、このステップ４ｄでテレビジョン電話モードを選択してテレビジョン電話通信のための通信制御を実行する。かくして、以後通話相手の顔画像を見ながらテレビジョン電話通信が可能になる。
【００３８】
次に、通話相手の端末との間で音声電話通信を行う場合について説明する。この場合ユーザは、カメラ１３の撮像方向を図５に示すように端末筐体と対向するように伏せた状態に設定する。このため、カメラ状態検出部１８では、図６（ａ），（ｂ）に示すように、第１及び第２の接点１８１，１８２は導電部１８３に対し非接触の状態となり、この結果信号レベル判定回路１８４から“Ｌ”レベルの判定信号ＤＳが出力される。
【００３９】
したがって、この状態でユーザが発信操作を行うと、制御部１４は上記判定信号ＤＳが“Ｌ”レベルになっていることから、カメラ１３は撮像不可能な状態になっていると判定してステップ４ｅに移行する。そして、このステップ４ｅで音声電話モードを選択し、音声電話通信のための通信制御を実行する。かくして、以後ユーザは通話相手との間で音声通話が可能になる。
【００４０】
また、例えば周辺の景色や状況、机上の写真や図面等をカメラ１３で撮像して送信しながら音声通話を行う場合には、携帯電話端末は次のように動作する。この場合ユーザは、カメラ１３の撮像方向を図７に示すように携帯電話端末の背面方向に設定する。そうすると、カメラ状態検出部１８では、図８（ａ），（ｂ）に示すように、第１の接点１８１と第２の接点１８２との間が導電部１８３を通じて導通し、この結果信号レベル判定回路１８４から“Ｈ”レベルの判定信号ＤＳが出力される。
【００４１】
したがって、この状態でユーザが発信操作を行うと、制御部１４は上記判定信号ＤＳが“Ｈ”レベルになっていることから、カメラ１３は撮像可能な状態になっていると判定してステップ４ｄに移行する。そして、このステップ４ｄでテレビジョン電話モードを選択し、テレビジョン電話通信のための通信制御を実行する。
【００４２】
このため、通話相手の端末との間に通信リンクが確立されると、カメラ１３により撮像された周辺の景色や状況、机上の写真や図面等の画像データが通話相手に送信される。したがって、ユーザは通話相手との間で、上記送信された画像をともに見ながら音声通話を行うことができる。
【００４３】
以上詳述したようにこの実施形態では、電話モードとしてテレビ電話モードと音声電話モードとを備えた携帯電話端末において、ユーザにより発信キー１７３が押下された場合に、カメラ状態検出部１８によりカメラ１３が撮像可能にあるか否かを判定する。そしてこの判定の結果、カメラ１３が撮像可能である場合にはテレビジョン電話モードを選択してテレビジョン電話通信制御を実行し、一方カメラ１３が撮像可能でない場合には音声電話モードを選択して音声通信制御を行うようにしている。
【００４４】
したがってこの実施形態によれば、１つの発信キーの操作で、テレビジョン電話モードと音声電話モードの２種類の電話モードによる電話通信を行うことが可能となる。このため、電話モードを指定するために２個の独立するキーを設ける必要がなくなり、これにより端末筐体の大型化、或いはキーの小型化や配置間隔の狭小化に伴う操作性の劣化を防止することが可能となる。
【００４５】
また、カメラ１３の向きによって電話モードの判定を行っているので、ユーザが電話モードを指定する操作も省略することができ、これにより発信に係わるユーザの操作性を高めることができる。
【００４６】
なお、この発明は上記実施形態に限定されるものではない。例えば、カメラ状態検出手段としては次のような他の構成が考えられる。すなわち、カメラ１３に入射される光量を検出する光量検出手段をさらに備え、この光量検出結果が予め設定されたしきい値レベル以上であるか未満であるかを判定する。そして、しきい値レベル以上と判定された場合にはカメラ１３が撮像可能な状態にあると判断し、一方しきい値レベル未満と判定された場合にはカメラ１３が撮像可能な状態にないと判断し、その結果に従い音声電話モードとテレビジョン電話モードとを選択する。
【００４７】
このように構成すると、上記実施形態と同様に、１個の発信キーを設けるだけでテレビ電話モードと音声電話モードの２種類の電話モードによる通信を選択的に実行することができる。このため、端末筐体の大型化、或いはキーの小型化や配置間隔の狭小化に伴う操作性の劣化を防止することができる。また、カメラ１３に入射する光量によって電話モードの判定を行っているので、ユーザが電話モードを指定する操作も省略することができる。さらに、例えばカメラ１３を撮像対象に向けてはいても、周囲が暗く撮像に必要な照度が得られないような場合には、テレビジョン電話モードを選択せずに音声電話モードを選択することができる。すなわち、その時々の撮像条件に応じて自動的に最適な電話モードを選択することが可能となる。
【００４８】
また、前記実施形態では発信キー１７３の操作に応動してカメラの状態を判定するようにしたが、発信時に行われるその他の操作、例えばダイヤル操作や電話帳における通信相手の選択確定操作に応動してカメラの状態を判定するようにしてもよい。
【００４９】
さらに、前記実施形態ではカメラの状態に応じて電話モードを選択するようにした。しかしそれに限らず、例えば電話帳に通信相手の端末の属性が記憶されており、この属性にテレビジョン電話モードを使用可能か否かを表す情報が含まれている場合には、この電話帳に記憶された属性情報と上記カメラの状態を表す情報とをもとに、使用すべき電話モードを選択するように構成してもよい。
【００５０】
その他、携帯電話端末の種類とその構成、カメラ及びカメラ状態検出手段の構成、電話モード選択制御の手順と内容等についても、この発明の要旨を逸脱しない範囲で種々変形して実施できる。
【００５１】
【発明の効果】
以上詳述したようにこの発明では、音声電話モードと、テレビジョン電話モードとを備えた携帯電話端末にあって、カメラが撮像可能な状態にあるか否かを判定し、この判定結果をもとに、カメラが撮像可能な状態にある場合にはテレビジョン電話モードを選択し、一方カメラが撮像可能な状態にない場合には音声電話モードを選択するようにしている。
【００５２】
したがってこの発明によれば、複数の発信キーを設けることなく音声電話モードとテレビジョン電話モードを選択することができ、これにより小型で操作性に優れた携帯電話端末を提供することができる。
【図面の簡単な説明】
【図１】この発明の一実施形態に係わる携帯電話端末の外観を示す正面図。
【図２】図１に示した携帯電話端末の回路構成を示すブロック図。
【図３】図１に示した携帯電話端末のカメラ状態検出機構を説明する図。
【図４】図１に示した携帯電話端末における電話モード選択制御の手順と内容を示すフローチャート。
【図５】図１に示した携帯電話端末におけるカメラ１３を伏せた状態の外観を示す正面図。
【図６】図５に示した携帯電話端末のカメラ状態検出機構を説明する図。
【図７】図１に示した携帯電話端末におけるカメラ１３の撮像方向を端末背面に向けた状態の外観を示す背面図。
【図８】図７に示した携帯電話端末のカメラ状態検出機構を説明する図。
【符号の説明】
１…アンテナ
２…アンテナ共用器（ＤＵＰ）
３…受信回路（ＲＸ）
４…周波数シンセサイザ（ＳＹＮ）
５…送信回路（ＴＸ）
６…ＣＤＭＡ信号処理部
７…多重分離処理部
８…音声コーデック
９…ＰＣＭコーデック
１０…スピーカ
１１…マイクロホン
１２…ビデオコーデック
１３…カメラ
１３１…回動軸
１４…制御部
１４ａ…電話モード選択制御機能
１５…表示部
１６…記憶部
１７…キー入力部
１７１…ダイヤルキー
１７２…カーソルキー
１７３…発信キー
１７４…切断キー
１８…カメラ状態検出部
１８１…第１の接点
１８２…第２の接点
１８３…導電部
１８４…信号レベル判定回路
１８５…抵抗（Ｒ）
１９…バッテリ
２０…電源回路
【図１】
2004120245.tif 000003
【図２】
2004120245.tif 000004
【図３】
2004120245.tif 000005
【図４】
2004120245.tif 000006
【図５】
2004120245.tif 000007
【図６】
2004120245.tif 000008
【図７】
2004120245.tif 000009
【図８】
2004120245.tif 000010